(57)【特許請求の範囲】
【請求項１】
検査装置において検査対象である回路の端子に接触させて通電するための導電性コネクタにおいて、
前記回路から前記検査装置の電極基板に向かって、第１異方導電性膜と、複合導電性シートと、第３異方導電性膜とを備え、
前記第１異方導電性膜は弾性高分子材料中に導電性粒子が分散されたシート状の異方導電性膜であって、前記導電性粒子の粒度累積分布の累積１０％の粒径であるｄ１０は累積９０％の粒径であるｄ９０の半分以下であり、前記導電性粒子のｄ９０は前記弾性高分子材料の平均厚さの７０％〜９０％であり、
前記複合導電性シートは、複数の貫通孔が形成された絶縁性シートと、前記貫通孔に組み合わされ厚み方向に移動自在な複数の可動電極とを有し、
前記第３異方導電性膜は弾性高分子材料中に導電性粒子が分散されたシート状の異方導電性膜であって、前記弾性高分子材料中に混入した導電性粒子の最大粒径が該弾性高分子材料の平均厚さの半分以下であり、該導電性粒子を前記可動電極と対応する位置に集合させて偏在させ、厚み方向に導電路を形成したものであることを特徴とする導電性コネクタ。
【発明の詳細な説明】
【技術分野】
【０００１】
本発明は、弾性高分子材料中に導電性粒子が分散され、厚み方向に異方導電性を示すシート状の異方導電性膜、およびそれを用いた導電性コネクタに関する。
【背景技術】
【０００２】
集積回路（Integrated Circuit；以下、ＩＣと称する）の製造工程では、シリコンウエハ（以下、単にウエハと称する）上に回路を形成した後に、回路が正常に動作するかを確認するウエハテストが行われる。ウエハテストは半導体試験装置を用いて行われる。詳細には、半導体試験装置では、テスタヘッドに設けられたプローブをウエハに接触させ、テスタヘッドが接続されているテスタとウエハとにおいて電気信号の送受信を行うことにより電気的特性を検査している。
【０００３】
通常ウエハ上には数百個分のＩＣの回路が形成され、ウエハテストではこれらを分離する前の状態で一括あるいは分割してテストを行う。ＩＣがＲＡＭやＲＯＭなどのメモリであれば電極の数は１つのＩＣにつき数十〜数百であるが、ＣＰＵ、ＧＰＵ、ＭＰＵなどの場合には１つにつき電極の数が数百〜数千にもなるため、ウエハ単位で試験するときは、数万もの電極に一度にプローブを接続する必要がある。
【０００４】
上記のプローブとしては、カンチレバーに代表される水平型プローブや、ＭＥＭＳ（Micro Electro-Mechanical System）プローブやスプリングプローブ等の垂直型プローブが従来用いられていた。これらのプローブは金属製であるが、近年では異方導電性膜（いわゆる導電ゴム）が用いられるようになってきている。異方導電成膜とは、金属粒子（主にＮｉの導電性粒子）をエラストマー（弾性高分子材料）に分散させて磁場中で硬化させることにより、厚み方向に導電性を持たせ、面方向の導電性は持たせていない異方性材料である。
【０００５】
異方導電性膜によれば、金属製プローブに比較して検査電極の変形による損傷が少なく、また電極間隔の微細化に有利である。またプローブの薄型化が図れるため、電気抵抗を低下させて高周波特性を向上させることができる。さらに、プローブと電極が金属同士である場合には微視的にも１点のみで接触するのに対し、異方導電成膜からなるプローブでは試験装置の電極とウエハの回路の電極との間に異方導電性膜に分散された金属が複数の導電路を形成するため（多点接触）、接触安定性の向上を図ることが可能であり、且つ抵抗値が低いことから高周波特性も良好である。
【０００６】
しかしながら、異方導電成膜のような薄膜であると、テスタヘッド側に固定的に設けられている突起電極（バンプ）に当接した際に、かかる電極からの圧力によって異方導電性膜の変形が生じる。すると、試験を繰り返すうちに異方導電性膜が疲労によって破れてしまうことがあった。そこで、特許文献１では、被検査回路装置の電気的検査に用いられる異方導電性コネクタ（プローブ）として、２つの異方導電性エラストマーシート（異方導電性膜）の間に、複合導電性シートを配置した構成が開示されている。この複合導電性シートは、複数の貫通孔を有する絶縁性シートと、かかる貫通孔各々に柱状の剛性導体（以下、可動電極と称する）を移動可能に配置して構成されている。
【先行技術文献】
【特許文献】
【０００７】
【特許文献１】特開２００８−１０１９３１号公報
【発明の概要】
【発明が解決しようとする課題】
【０００８】
特許文献１の構成によれば、可動電極による圧力はその上下に配置された異方導電性膜に分散されるため、各々の異方導電性膜の変形が抑制され、その耐久性を向上させることができる。しかしながら、ＩＣは今後さらに小型化し、かつ接点数が増加する傾向にある。このため、異方導電性膜にもさらなる低抵抗化による高周波特性の向上および高分解能化が求められていて、それを達成するための１つの手段として異方導電性膜の更なる薄膜化が要求される。ところが、異方導電性膜を更に薄膜化すると当然にして一層破断が生じやすくなる。そこで、異方導電性膜において薄膜化に際して低下する耐久性を確保する必要があった。
【０００９】
本発明は、このような問題に鑑み、十分な耐久性を確保することができ、薄膜化電気特性の改善ひいては高周波特性の向上を図ることが可能な異方導電性膜、およびそれを用いた導電性コネクタを提供することを目的としている。
【課題を解決するための手段】
【００１０】
上記課題を解決するために、本発明にかかる異方導電性膜の代表的な構成は、弾性高分子材料中に導電性粒子が分散され、厚み方向に異方導電性を示すシート状の異方導電性膜において、導電性粒子の粒度累積分布の累積１０％の粒径であるｄ１０は、累積９０％の粒径であるｄ９０の半分以下であって、導電性粒子のｄ９０は弾性高分子材料の平均厚さの７０％〜９０％であることを特徴とする。
【００１１】
粒度累積分布においてｄ９０が膜厚に対して概ね８０％であるということは、換言すれば当該異方導電性膜を構成する弾性高分子材料に、その膜厚の８０％程度の粒径を有する導電性粒子（以下、大粒径導電性粒子と称する）が含まれていることである。これにより、検査装置（厳密にはテスタヘッド）の電極基盤を検査対象の回路に圧接する際、異方導電性膜が２０％程度圧縮された状態で、大粒径導電性粒子が電極基盤および回路に接触し、スペーサとして機能する。したがって、異方導電性膜に過剰な圧力がかからなくなるため、その過度な変形を抑制することができる。故に、異方導電性膜の耐久性を極めて好適に向上させ、ひいては高周波特性の向上を図ることが可能となる。
【００１２】
また上記構成では、粒度累積分布のｄ１０（以下、小粒径導電性粒子と称する）は、ｄ９０（累積９０％の粒径）の半分以下である。すなわち小粒径導電性粒子は弾性高分子材料の膜厚の４０％程度の粒径であるため、磁場をかけることによって硬化させると、弾性高分子材料の厚み方向に鎖状に配列する。これにより、検査装置の電極基盤を検査対象の回路に圧接すると、異方導電性膜が２０％程度に圧縮される際に電極間が小粒径導電性粒子によって複数の経路（パス）で電気的に接続される。したがって、異方導電性膜の接続安定性が十分に確保され、高電気特性（低電気抵抗）ひいては高い高周波特性が得られる。
【００１３】
上記課題を解決するために、本発明にかかる導電性コネクタの代表的な構成は、検査装置において検査対象である回路の端子に接触させて通電するための導電性コネクタにおいて、回路から検査装置の電極基板に向かって、第１異方導電性膜と、複合導電性シートと、第２異方導電性膜とを備え、第１異方導電性膜および第２異方導電性膜は上述した異方導電性膜であって、複合導電性シートは、複数の貫通孔が形成された絶縁性シートと、貫通孔に組み合わされ厚み方向に移動自在な複数の可動電極とを有することを特徴とする。
【００１４】
上述したように本発明にかかる異方導電性膜は、大粒径導電性粒子がスペーサとして機能するため２０％程度の圧縮が可能である。換言すれば、上述した異方導電性膜からなる第１異方導電性膜および第２異方導電性膜は各々２０％程度のストロークを持つ。したがって、検査装置の電極基板のランド（電極）および回路の端子（電極）の寸法公差を十分に吸収することができる。
【００１５】
上記課題を解決するために、本発明にかかる導電性コネクタの他の構成は、請求項２に記載の導電性コネクタにおいて、第２異方導電性膜に代えて第３異方導電性膜を備え、第３異方導電性膜は、弾性高分子材料中に混入した導電性粒子の最大粒径が弾性高分子材料の平均厚さの半分以下であって、導電性粒子を可動電極と対応する位置に集合させて偏在させ、厚み方向に導電路を形成したものであることを特徴とする。かかる構成によれば、導電性粒子が可動電極と対応する位置に集合して偏在しているため、それらの導電経路を増強させることが可能となる。
【発明の効果】
【００１６】
本発明によれば、十分な耐久性を確保することができ、薄膜化ひいては高周波特性の向上を図ることが可能な異方導電性膜、およびそれを用いた導電性コネクタを提供することが可能となる。
【図面の簡単な説明】
【００１７】
【図１】第１実施形態にかかる導電性コネクタを説明する図である。
【図２】本実施形態にかかる異方導電性膜を説明する図である。
【図３】異方導電性膜における導電性粒子の粒度分布を例示する図である。
【図４】第２実施形態にかかる導電性コネクタを説明する図である。
【発明を実施するための形態】
【００１８】
以下に添付図面を参照しながら、本発明の好適な実施形態について詳細に説明する。かかる実施形態に示す寸法、材料、その他具体的な数値などは、発明の理解を容易とするための例示に過ぎず、特に断る場合を除き、本発明を限定するものではない。なお、本明細書及び図面において、実質的に同一の機能、構成を有する要素については、同一の符号を付することにより重複説明を省略し、また本発明に直接関係のない要素は図示を省略する。
【００１９】
（第１実施形態）
以下、理解を容易にするために、まず第１実施形態の導電性コネクタについて説明した後に、それに用いられる異方導電性膜について説明する。図１は、第１実施形態にかかる導電性コネクタを説明する図であり、図１（ａ）は第１実施形態の導電性コネクタの概略図であり、図１（ｂ）は図１（ａ）の可動電極近傍の拡大図である。図１（ａ）に示す第１実施形態の導電性コネクタ２００は、ＩＣの製造工程でのウエハテストにおいて、検査対象であるシリコンウエハ（以下、ウエハ３００と称する）上に形成された回路３０２の動作を確認する検査装置すなわち半導体試験装置（不図示）のテストヘッド４００に設けられるプローブに用いられる。ウエハテストでは、ウエハ３００の回路３０２の端子３０４と、テストヘッド４００の電極基板４０２の電極４０４とを、導電性コネクタ２００を介して接触させて通電させることにより電気信号の送受信を行い、ウエハ３００の電気的特性を検査する。
【００２０】
導電性コネクタ２００は、ウエハ３００の回路３０２から半導体試験装置（不図示）の電極基板４０２に向かって、第１異方導電性膜１００ａ、複合導電性シート２０２、および第２異方導電性膜１００ｂを順に備える。複合導電性シート２０２は、絶縁性シート２１０と、複数の可動電極２２０とを有する。
【００２１】
絶縁性シート２１０には、液晶ポリマー、ポリイミド樹脂、ポリエステル樹脂、ポリアラミド樹脂、ポリアミド樹脂等の樹脂材料や、ガラス繊維補強型エポキシ樹脂、ガラス繊維補強型ポリエステル樹脂、ガラス繊維補強型ポリイミド樹脂等の繊維補強型樹脂材料、アルミナやポロンナイトライド等の無機材料からなるフィラーをエポキシ樹脂等の樹脂材料に含有させた複合樹脂材料などを好適に用いることができる。
【００２２】
上記の絶縁性シート２１０には、ウエハ３００の回路３０２の端子３０４およびテストヘッド４００の電極基板４０２の電極４０４のパターンに対応する位置に、厚み方向に延びる複数の貫通孔２１２が形成されている。そして、貫通孔２１２には、絶縁性シート２１０の厚み方向に移動自在な複数の可動電極２２０が組み合わされている。
【００２３】
可動電極２２０には、剛性を有する金属材料を好適に用いることができ、例えばニッケル、コバルト、金、アルミニウムなどの単体金属やそれらの合金などを例示することができる。
【００２４】
図１（ｂ）に示すように、可動電極２２０は、貫通孔２１２内に配置される円柱状の胴部２２２と、胴部２２２の両端各々にそれと一体に形成されて貫通孔２１２外、換言すれば絶縁性シート２１０の表面に配置される頭部２２４ａおよび２２４ｂとから構成される。可動電極２２０の胴部２２２の長さLは、絶縁性シート２１０の厚みｔよりも大きい。また可動電極２２０において、胴部２２２の径Ｒ２は貫通孔２１２の径Ｒ１よりも小さく、頭部２２４ａおよび２２４ｂの径Ｒ３は貫通孔２１２の径Ｒ１よりも大きい。かかる構成により、可動電極２２０を絶縁性シート２１０の厚み方向に移動自在としつつ、可動電極２２０の頭部２２４ａおよび２２４ｂを確実に貫通孔２１２外に配置できる。
【００２５】
より詳細には、可動電極２２０の胴部２２２の長さＬと絶縁性シート２１０の厚みｔとの差（Ｌ−ｔ）、すなわち絶縁性シート２１０の厚み方向における可動電極２２０の移動可能距離は、３〜１５０μｍであることが好ましく、より好ましくは５〜１００μｍ、更に好ましくは１０〜５０μｍであるとよい。可動電極２２０の移動可能距離が過小であると、当該導電性コネクタ２００において十分な凹凸吸収能を得ることが困難となることがある。一方、可動電極２２０の移動可能距離が過大であると、絶縁性シート２１０の貫通孔２１２から露出する可動電極２２０の胴部２２２の長さが大きくなり、検査に使用したときに、可動電極２２０の胴部２２２が座屈または損傷するおそれがある。また、可動電極２２０の頭部２２４ａおよび２２４ｂの厚みは、５〜５０μｍであることが好ましく、より好ましくは８〜４０μｍであるとよい。
【００２６】
なお、高温環境下では絶縁性シート２１０の熱膨張によって、貫通孔２１２に配置された可動電極２２０の位置ずれが生じることが想定される。故に、当該導電性コネクタ２００を高温環境下において使用することが想定される場合には、絶縁性シート２１０の熱膨張係数が３×１０−５／K以下であることが好ましく、より好ましくは１×１０−６〜２×１０−５／K、更に好ましくは１×１０−５／K〜６×１０−６／Kであるとよい。
【００２７】
また絶縁性シート２１０の厚みｔは、１０〜２００μｍであることが好ましく、より好ましくは１５〜１００μｍであるとよく、絶縁性シート２１０が有する貫通孔２１２の径Ｒ１は、２０〜３００μｍであるとよく、より好ましくは３０〜１５０μｍであるとよい。可動電極２２０の十分な強度を得るために、胴部２２２の径Ｒ２は、１８μｍ以上であることが好ましく、より好ましくは２５μｍ以上であるとよい。
【００２８】
更に、絶縁性シート２１０の厚み方向に対する可動電極２２０の移動を円滑にするために、絶縁性シート２１０の貫通孔２１２の径と可動電極２２０の胴部２２２の径との差（Ｒ１−Ｒ２）は、１μｍ以上であることが好ましく、より好ましくは２μｍ以上であるとよい。また絶縁性シート２１０の貫通孔２１２からの可動電極２２０の脱落を防ぐために、可動電極２２０の頭部２２４ａおよび２２４ｂの径と絶縁性シート２１０の貫通孔２１２の径との差（Ｒ３−Ｒ１）は、５μｍ以上であることが好ましく、より好ましくは１０μｍ以上であるとよい。
【００２９】
次に、上述した複合導電性シート２０２の上下に配置される第１異方導電性膜１００ａおよび第２異方導電性膜１００ｂについて説明する。なお、本実施形態において第１異方導電性膜１００ａおよび第２異方導電性膜１００ｂは同一の組成であるため、以下、それらを異方導電性膜１００と総称して説明する。
【００３０】
図２は、本実施形態にかかる異方導電性膜を説明する図であり、図２（ａ）は本実施形態の異方導電性膜の構成を例示する断面図であり、図２（ｂ）は図２（ａ）の異方導電膜を圧縮した状態を例示する図である。本実施形態にかかる異方導電性膜１００は、シート状であり、厚み方向に異方導電性を有する。図２（ａ）に示すように、かかる異方導電性膜１００は、弾性高分子材料１１０中に導電性粒子１２０を分散させた構成である。弾性高分子材料１１０は、絶縁性と、耐久性の観点から架橋構造とを有する高分子材料を用いることが好ましく、具体的にはシリコーンゴムを好適に用いることができる。
【００３１】
上述したように本実施形態の異方導電性膜１００を構成する弾性高分子材料１１０には導電性粒子１２０が分散されている。これにより、絶縁性の弾性高分子材料１１０に導電性が付与される。導電性粒子１２０としては、鉄、コバルト、ニッケル等、磁性を有する金属粒子や、それらの合金粒子（それらの金属を含有する粒子）を好適に用いることができる。また、それらの金属粒子や合金粒子を芯粒子（コア）として、かかる芯粒子の表面に、金、銀、パラジウム、ロジウム等、高導電性を有する金属のめっきを施したものを用いてもよい。更に、ガラスビーズ等の無機物質粒子やポリマー粒子、非磁性金属粒子を芯粒子として、その表面にコバルト、ニッケル等の導電性磁性金属をめっきしたものを用いることも可能である。なお、めっき方法としては、化学めっき、電界めっき法、スパッタリング法、蒸着法等を例示することができるが、他の方法を用いてもよい。
【００３２】
図３は、異方導電性膜１００における導電性粒子の粒度分布を例示する図であり、図３（ａ）は導電性粒子の粒度累積分布を例示する図であり、図３（ｂ）は導電性粒子の粒度頻度分布を例示する図である。本実施形態では、導電性粒子１２０は大粒径導電性粒子１２２および小粒径導電性粒子１２４を含み、特に弾性高分子材料１１０に大粒径導電性粒子１２２を分散させている点において特徴を有する。
【００３３】
詳細には、弾性高分子材料１１０に分散されている導電性粒子１２０を累積すると、導電性粒子１２０の粒度累積分布は図３（ａ）に示すような曲線を描く。図３（ａ）の粒度累積分布において、導電性粒子１２０を１０％まで累積したときの粒径すなわちｄ１０の粒子が小粒径導電性粒子１２４であり、導電性粒子１２０を９０％まで累積したときの粒径すなわちｄ９０の粒子が大粒径導電性粒子１２２である。また弾性高分子材料１１０に分散されている導電性粒子１２０の粒度頻度分布は図３（ｂ）に示すような曲線を描く。
【００３４】
上記の大粒径導電性粒子１２２の粒径ｄ９０は、弾性高分子材料１１０の平均厚さｔの７０％〜９０％、すなわち平均膜厚に対して概ね８０％である。テストヘッド４００の電極基板４０２をウエハ３００の回路３０２に向かって圧接すると（図１（ａ）参照）、図２（ａ）に示す異方導電性膜１００が図２（ｂ）に示すように圧縮される。これにより、第１異方導電性膜１００ａでは、大粒径導電性粒子１２２が、ウエハ３００の回路３０２の端子３０４と可動電極２２０とに接触し、第２異方導電性膜１００ｂでは、大粒径導電性粒子１２２が、テストヘッド４００の電極基板４０２の電極４０４と可動電極２２０とに接触する（図１（ａ）参照）。
【００３５】
このとき、弾性高分子材料１１０の膜厚の８０％程度の粒径を有する大粒径導電性粒子１２２が電極基板４０２および回路３０２の間でスペーサとして機能するため、異方導電性膜１００の圧縮は２０％程度であり、換言すれば異方導電性膜１００の厚みは０．８ｔ程度までしか圧縮されない。したがって、異方導電性膜１００への過剰な圧力を防ぐことができ、その過度な変形が抑制される。故に、異方導電性膜１００の耐久性、ひいては高周波特性の向上を図ることが可能となる。
【００３６】
また上述したように大粒径導電性粒子１２２がスペーサとして機能し、異方導電性膜１００が２０％程度の圧縮が可能であるということは、すなわち異方導電性膜１００は２０％程度のストロークを持つということである。したがって、電極基板４０２の電極４０４（ランド）および回路３０２の端子３０４の寸法公差を十分に吸収可能である。
【００３７】
一方、小粒径導電性粒子１２４の粒径ｄ１０は、ｄ９０の半分以下であり、換言すれば弾性高分子材料の膜厚の４０％以下の粒径である。この小粒径導電性粒子１２４は、弾性高分子材料１１０に磁場をかけながら硬化すると、図２（ａ）に示すように弾性高分子材料１１０の厚み方向に鎖状に配列する。これにより、テストヘッド４００の電極基板４０２をウエハ３００の回路３０２（図１参照）に向かって圧接すると、図２（ｂ）に示すように小粒径導電性粒子１２４によって電極基板４０２の電極４０４と回路３０２の端子３０４とが複数の経路（パス）で電気的に接続される。したがって、異方導電性膜１００の接続安定性が十分に確保され、高電気特性（低電気抵抗）ひいては高い高周波特性が得られる。
【００３８】
なお、弾性高分子材料１１０に含有される導電性粒子１２０が大粒径導電性粒子１２２のみであると、端子３０４および電極４０４と導電性粒子１２０との接点数ひいてはそれらの導電経路が極端に減少するため電気的特性が低下してしまう。故に、本実施形態のように、導電性粒子１２０を大粒径導電性粒子１２２および小粒径導電性粒子１２４から構成することにより、大粒径導電性粒子１２２のスペーサ効果によって異方導電性膜１００の耐久性の向上を図りつつ、小粒径導電性粒子１２４による高電気特性の確保が可能となる。
【００３９】
上記説明したように、本実施形態の異方導電性膜１００によれば、大粒径導電性粒子１２２および小粒径導電性粒子１２４により、高電気特性を確保しつつ耐久性の向上を図ることが出来る。これにより、異方導電性膜の更なる薄膜化が可能になり、ひいては高周波特性の向上および高分解能化を達成することができる。そして、このような異方導電性膜１００を導電性コネクタ２００に用いることにより、可動電極２２０の圧力による異方導電性膜１００の過度な変形が抑制されるため導電性コネクタ２００の長寿命化も可能になり、且つ適度な変形は許容されるため検査装置の電極基板４０２の電極４０４（ランド）および回路３０２の端子３０４（電極）の寸法公差を十分に吸収することができる。
【００４０】
（第２実施形態）
図４は、第２実施形態にかかる導電性コネクタを説明する図であり、特に図４（ａ）は第３異方導電性膜の構成を例示する断面図であり、図４（ｂ）は第２実施形態の導電性コネクタの概略構成を図示している。なお、以下、第１実施形態の導電性コネクタと同一の機能や構成を有する要素については、同一の符号を付すことにより重複説明を避ける。また、理解を容易にするために、図４では、図１に示した可動電極２２０および電極基板４０２の電極４０４を破線にて図示している。
【００４１】
第１実施形態の導電性コネクタは、第１異方導電性膜１００ａおよび第２異方導電性膜１００ｂが同一の構成であったのに対し、第２実施形態の導電性コネクタは、第２異方導電膜に代えて、図４に示す第３異方導電性膜１００ｃを備える。
【００４２】
図４（ａ）に示すように、第３異方導電性膜は、弾性高分子材料１１０中に含まれる（混入した）導電性粒子１２６の最大粒径が弾性高分子材料の平均厚さｔの半分以下である。すなわち第３異方導電性膜１００ｃには、第１実施形態における小粒径導電性粒子１２４に近い粒径の導電性粒子１２６が含まれていて、スペーサとして機能する第１実施形態の大粒径導電性粒子１２２のような導電性粒子は含まれていない。
【００４３】
本実施形態の特徴として、上記の第３異方導電性膜１００ｃの導電性粒子１２６は、可動電極２２０（破線にて図示）と対応する位置に集合するように偏在し、弾性高分子材料１１０の厚み方向に導電路（導電経路）を形成している。これは、第３異方導電性膜１００ｃを成膜する際に、電極の位置に磁場をかけた状態で硬化させることにより、電極の位置に導電性粒子１２６が集中し、偏在させることができる。このように導電性粒子１２６が可動電極２２０と対応する位置に集合して偏在していることにより、それらの導電経路を増強させ、また他の電極との絶縁性を高めることが可能となる。また、小径の導電性粒子１２６が連なっていることからクッション性が高く、導電性コネクタ２００全体としてのストロークを大きくすることが可能となる。
【００４４】
以上、添付図面を参照しながら本発明の好適な実施例について説明したが、本発明は係る例に限定されないことは言うまでもない。当業者であれば、特許請求の範囲に記載された範疇内において、各種の変更例または修正例に想到し得ることは明らかであり、それらについても当然に本発明の技術的範囲に属するものと了解される。
【産業上の利用可能性】
【００４５】
本発明は、弾性高分子材料中に導電性粒子が分散され、厚み方向に異方導電性を示すシート状の異方導電性膜、およびそれを用いた導電性コネクタに利用することができる。
【符号の説明】
【００４６】
１００…異方導電性膜、１００ａ…第１異方導電性膜、１００ｂ…第２異方導電性膜、１００ｃ…第３異方導電性膜、１１０…弾性高分子材料、１２０…導電性粒子、１２２…大粒径導電性粒子、１２４…小粒径導電性粒子、１２６…導電性粒子、２００…導電性コネクタ、２０２…複合導電性シート、２１０…絶縁性シート、２１２…貫通孔、２２０…可動電極、２２２…胴部、２２４ａ…頭部、２２４ｂ…頭部、３００…ウエハ、３０２…回路、３０４…端子、４００…テストヘッド、４０２…電極基板、４０４…電極
【図１】
0005755527.tif 000002
【図２】
0005755527.tif 000003
【図３】
0005755527.tif 000004
【図４】
0005755527.tif 000005